(57)【要約】【課題】設置容積が小さく、耐荷重の大きなスライドレールを得ると同時に、移動方向に直角方向にかかる力への耐力を向上させた、スライドレールを得る。【解決手段】複数のボール列を持ち、該ボール列を平行で水平に位置するように配置し、ボールの斜め下から支持するように、アウターメンバの両側にレールを形成し、ボールを介して該レールと対向する位置に斜め上から抑えるレールをインナーメンバ両側に形成し、複数のボールを列状に整列保持するボールリテーナからなるスライドレールを提供する。また、アウターメンバのレールが、ボール中心を通る水平線の上から、ボール中心を通る垂直線をアウターメンバ開口部の内側に越えて構成され、インナーメンバのレールが、ボール中心を通る水平線の下から、ボール中心を通る垂直線の外側に至って構成されるスライドレールによって目的の移動方向に直角方向に高耐力を持つスライドレールを提供する。【選択図】      図１
2005133286.tif 000002
【特許請求の範囲】
【請求項１】
複数のボール走行を案内するレールをもち、略水平にボールの走行を案内する複数の斜め下側のレールと、これらの斜め下側レールを相互に平行に形成したアウターメンバと、上記各斜め下側レール上のボールを斜め上方から抑えるために、各斜め下側レールと対を成すように形成された複数の斜め上側レールと、これら複数の斜め上側レールを形成したインナーメンバと、各対を成す上下のレール面間に配置された複数のボールを整列保持するボールリテーナと、からなることを特徴とするスライドレール。
【請求項２】
アウターメンバに構成される斜め下側のレール面が、ボールの中心を通る垂線または、及び水平線を越えて構成されることを特徴とする請求項１記載のスライドレール。
【請求項３】
インナーメンバに構成される斜め上側のボール走行面が、ボールの中心を通る垂線または及び水平線を越えて構成されることを特徴とする請求項１乃至請求項２記載のスライドレール
【発明の詳細な説明】
【０００１】
【発明が属する技術分野】
本発明は、スライドレールに関するものである。
【０００２】
【従来の技術】
第１の例として、図２に示すよく知られたスライドレールの例がある。
２列のボールの水平外側にボール走行面をアウターメンバの一部として構成し、ボールの水平内側にボール走行面をインナーメンバの一部として構成し、２列のボールが垂直に並ぶ位置又は、水平に並ぶ位置で使用される。
第２の例として、特開２０００−１７０４３５に記載のスライドレールの優れた例がある。
本例では、２列のボールの下部に下側ボール走行面をアウターメンバの一部として構成し、ボールの上部を抑えるボール走行面をインナメンバの一部として構成することによって、スライドレールを構成し、2列のボール列が水平方向に並ぶ位置で使用される。
【０００３】
【発明が解決しようとする課題】
従来の技術の第１の例として、図2に示すスライドレールでは、吊り下げ懸架する移動体、例えば引き戸をインナーメンバ２に固定し、図の表裏の方向に移動させる方向で使用される。この場合、引き戸重量は、上側のボールとアウターメンバには荷重がかからず、インナメンバ２と下側のボール３を介してアウターメンバ１の下側レール面で支持される結果となっていた。
このため、上側のボールは回転駆動されず、ボールを整列保持しているボールリテーナ４の移動が不安定になりやすいと言う課題を持つ。
また本例では、上下方向高さが大きくなるため、引き戸上部に大きな空間が必要になると言う課題も持っている。
図３に示される、上下方向高さを小さく設置するため、アウターメンバ１の開口部を下方に向けて設置した場合、インナーメンバ２、ボール３、アウターメンバ１による水平方向一直線に並ぶ接触点によって支えることになり、インナーメンバ２に負荷される荷重が、アウターメンバ１の開口部を広げる力となり、インナーメンバ２が落下するため、大きな荷重には耐えられないという課題も併せ持つ。
【０００４】
従来の技術の第２の例として、図４に示すスライドレールでは、アウターメンバ１の開口部を下方に向けて使用することを目的に構成されている。
本例では、インナーメンバ２に固定される負荷の荷重が、インナーメンバ２の左右両方のレール面上の接触点３２、ボール３、アウターメンバ１のレール面上の接触点３１によって支持されるため、インナーメンバ２に負荷された荷重は、アウターメンバ１を下方に下げる方向に働き、アウターメンバ１の開口部を広げてインナーメンバ２が落下することが無く、より耐荷重が増すことで従来の技術の第１の例で示したスライドレールの課題を補っている。
しかし、例にあげた引き戸に使用した場合、引き戸移動方向に対して直角方向に通行者や、搬送荷物が衝突することが想定されるが、本例では、スライドレールのスライド方向に対して直角方向は、インナーメンバ２、アウターメンバ１の円筒面の直角方向に、ボール３の球面を介して荷重がかかり、小さな力でインナーメンバ２がボール３に乗り上げるため、スライド方向に対して直角方向の耐荷重が小さいと言う課題を持つ。
図１に示す本発明によるスライドレールは、上記した例が持つ課題にたいして、アウターメンバ１の開口部を下方に向けて使用した場合、インナーメンバ２にかかる下方への荷重に対しては、2列のボール３を介して、インナーメンバ２のレールとアウターメンバ１のレールに斜め方向に均等に荷重され、インナーメンバ２に負荷される荷重に耐えうる。
また、インナーメンバ２の走行方向に直角に加えられる荷重に対しても、インナーメンバ２とアウターメンバ１がボール３を介して接触点９，１０で対向する事で大きな耐荷重が得られるスライドレールを提供することを目的としている。
【０００５】
【課題を解決するための手段】
本発明は、上記の課題を解決するため下記の手段を用いることを特徴とする。アウターメンバの一部でボール走行面を構成し、ボールを斜め下方から支持すると共に、これらのボール走行面とボールを介して対向する位置の斜め上方のボール走行面をインナーメンバの一部に構成し、2列のボール列を整列保持するボールリテーナとからなる構成を持つことで、インナーメンバに負荷される荷重は、インナーメンバのボール走行面から、ボールを介して、アウターメンバのボール走行面に斜めに負荷される事で従来技術の第１の例をボール列が水平に位置する方向で使用した場合のより大きな耐荷重を得る事を可能にしている。
又、図2に示すように、アウターメンバのボール走行面が、ボールの中心を通る水平位置から、ボール中心を通る垂直位置に至る部分を越えて構成され、また、インナーメンバのボール走行面が、ボールの中心を通る水平位置から、ボール中心を通る垂直位置に至る部分を越えて構成される構造を持たせる事で、インナーメンバに加わる水平方向の負荷に対して耐荷重を得られる構成を得ている。
【０００６】
【実施例】
本発明の実施例を図1を参照して説明する。
図1は本発明にかかるスライドレールの1実施例を示す断面図である。
固定レールであるアウターメンバ１と、可動レールであるインナーメンバ２と、複数のボール３と、該ボール３を整列保持するボールリテーナ４によって構成される。
【０００７】
アウターメンバ１は、その先端部近傍をボール３の曲率より小さな曲率をもった円弧形状で、ボール3を斜め下から支持する2列のボール走行面を形成している。
インナーメンバ２は、アウターメンバ１の内側で、その先端部近傍を、ボール3の曲率より小さな曲率を持った円弧形状で、該円弧形状の下側面で2列の斜め上側ボール走行面を形成している。
2列のボール3は、円形の孔がほぼ等間隔で開けられたボールリテーナ４によって、整列保持されている。
【０００８】
複数のボール３が、2列の直線状に整列し、インナーメンバ２の移動によってインナメンバ２の走行面との接触点７での摩擦によって回転駆動され、アウターメンバ１のボール走行面上の接触点８上を回転移動することで、インナーメンバ２はすべり摩擦と比較して小さな転がり摩擦抵抗を受けて直線移動する。
【０００９】
アウターメンバ１上に構成されたボール走行面は、ボール３の中心を通る水平線１４より上の位置から、ボール３の中心を通る垂直線６の位置より内側に至る円弧を形成し、インナーメンバ２に構成されたボール走行面は、ボール３の中心を通る水平線１４より下の位置から、ボール３の中心を通る垂直線
６より外側に至る円弧を形成する。
【００１０】
上記スライドレールが引き戸に使用される例では、アウターメンバ１は、概略中央部に孔を設け、該穴を通してボルト１３によって固定部(例えば建築躯体開口部の下端に直接または該下端部に設けられた鴨居）に固定される。
インナーメンバ２の概略中央部に孔(図示せず)を設け、該穴を通して引き戸(図示せず)上部に固定される。
引き戸は上記したように、インナーメンバ２が移動可能であるため、通行者の操作によって移動可能になる。
【００１１】
引き戸の重量は、インナメンバ２とボール３の接触点７と、ボール３を介してアウターメンバ１とボール３の接触点８にかかり、アウターメンバ１によって支持される。
引き戸の重量は、インナーメンバ２とボール３とアウターメンバ１が、傾斜線５上で常時接触し、インナーメンバ２のボール走行面は、接触点７で両外側から内側斜めに向けて力を受けて支持される。
引き戸は、通行者や、荷物が衝突することがあるが、引き戸への衝突力はインナーメンバ２を走行方向に対して直角方向へ移動させる力となるが、上記したようにインナーメンバ２は引き戸重量によってかかるアウターメンバ１からの反作用として、両側から中心方向に力を受けているため、水平方向に受ける力が小さい場合には水平方向の移動に抗する力となり、安定した走行が得られる。
【００１２】
水平方向に受ける力が大きい場合、ボール３中心を通る水平線１４とインナーメンバ２のボール走行面との交点１０と、ボール３を介し、アウターメンバ１と水平線１４との交点９によってアウターメンバ１に力がかかり該水平方向の力は支持可能になることで、大きな力に耐え得る構造を提供している。
また、大きな引き戸重量または、引き戸重量以外に引き戸への衝突や地震等の振動による大きな上下方向の力に対しても、インナーメンバ２のボール走行面とボール中心を通る垂直線６との交点１２と、ボール３を介し、アウターメンバ１と垂直線６との交点１１に力が伝達され、アウターメンバ１によって支持可能になることで、大きな力に耐えうる構造を提供している。
【００１３】
インナーメンバ２及びアウターメンバ１のボール走行面は、ボール３の曲率より小さな曲率の円弧を前提に説明したが、ボール３との接触点近傍を一部直線にしても構成可能である。
【００１４】
ボールリテーナ４は、一体構造である前提で説明したが、２列の多孔部分を別体とし、中央部分で接続する構成または、中央部分を別体の接合部材で接続する構造をとることも本発明を実施する上で製作を容易にする方法である。
【００１５】
【発明の効果】
以上の説明のように、本発明のスライドレールは、インナーメンバに負荷された荷重が、インナーメンバに構成されたボール走行面と、ボール列を介して、アウターメンバに構成されたボール走行面に斜め外に向けて荷重されるため、従来技術の第１の例で示したスライドレールと比較して、より強大な耐荷重を得ることが可能になっている。
また、インナーメンバに構成されたボール走行面が、ボールの中心を通る水平線から、ボールの中心を通る垂直線を超えて構成し、アウターメンバに構成されたボール走行面が、ボールの中心を通る水平線から、ボールの中心を通る垂直線を超えて構成する事によって、従来技術の第２の例で示したスライドレールと比較して、より大きな横耐荷重を得ることを可能にしている。
また、インナーメンバに負荷された荷重は、ボールを介して、均等にアウターメンバに負荷される構成となっていることから、ボールに安定した荷重が加えられるため、ボール走行が安定した回転を生じさせることも可能にしている。
ボールの回転が安定することによって、ボールリテーナの移動の安定性を向上させ、インナーメンバの移動がより安定すると言う効果も併せ持つ。
【図面の簡単な説明】
【図１】本発明の一実施例を示す断面図である。
【図２】従来技術の第１の例を示す断面図である。
【図３】従来技術の第１の例を示し、ボール列が水平に位置する例を示す断面図である。
【図４】従来技術の第２の例を示す断面図である。
【符号の説明】
１          アウターメンバ
２          インナーメンバ
３          ボール
４          ボールリテーナ
５          傾斜線
６          垂直線
７          接触点
８          接触点
９          接触点
１０        接触点
１１        接触点
１２        接触点
１３        ボルト
１４        水平線
２１        接触点
２２        接触点
３１        接触点
３２        接触点
【図１】
2005133286.tif 000003
【図２】
2005133286.tif 000004
【図３】
2005133286.tif 000005
【図４】
2005133286.tif 000006